(57)【要約】【課題】車両衝突時に骨格部材を特定の方向に折り曲げて衝突エネルギを吸収する。【解決手段】車体構造１０は、断面コの字状に形成されたインナチャンネル３０と、断面コの字状に形成されると共に、インナチャンネル３０と互いの開口部が向き合うように配置され、インナチャンネル３０とでサイドメンバ２０を構成するサイドレール４０と、断面コの字状に形成されると共に、インナチャンネル３０と結合されたリインフォースメント５０とを備えている。リインフォースメント５０に形成された一方の対向補強壁部５１の自由端５１Ａは、サイドレール４０に形成された一方の第二対向壁部４１の自由端４１Ａと突き当てられており、他方の対向補強壁部５２の長手方向の一部の自由端５９Ａは、他方の第二対向壁部４２の自由端４２Ａよりも連結補強壁部５３側且つ一方の対向補強壁部５１側に位置されている。【選択図】図６
2011046234.tif 000002
【特許請求の範囲】
【請求項１】
一対の第一対向壁部と、前記一対の第一対向壁部の端部を連結する第一連結壁部とを有する断面コの字状に形成された第一骨格構成部材と、
一対の第二対向壁部と、前記一対の第二対向壁部の端部を連結する第二連結壁部とを有する断面コの字状に形成されると共に、前記第一骨格構成部材と互いの開口部が向き合うように配置され、且つ、前記一対の第二対向壁部の自由端側が前記一対の第一対向壁部の内側で前記一対の第一対向壁部の自由端側とそれぞれ重ねられた状態で結合されて、前記第一骨格構成部材とで長手状の骨格部材を構成する第二骨格構成部材と、
一対の対向補強壁部と、前記一対の対向補強壁部の端部を連結する連結補強壁部とを有すると共に、前記第一骨格構成部材と同じ側に開口する断面コの字状に形成され、且つ、前記骨格部材の長手方向に延びる長手状に形成されて前記第一骨格構成部材と結合された補強部材と、
を備え、
前記一対の対向補強壁部のうち一方は、前記一対の第二対向壁部のうち一方と互いの自由端が突き合わされ、
前記一対の対向補強壁部のうち他方は、少なくとも長手方向の一部の自由端が前記一対の第二対向壁部のうち他方の自由端よりも前記連結補強壁部側且つ前記一方の対向補強壁部側に位置されている、
車体構造。
【請求項２】
前記他方の対向補強壁部には、前記一方の対向補強壁部側に凹み、前記長手方向の一部を底部とする凹状部が形成され、
前記他方の対向補強壁部の長手方向における前記凹状部の両側は、前記他方の第二対向壁部と互いの自由端が突き合わされている、
請求項１に記載の車体構造。
【請求項３】
前記骨格部材は、前記一対の第一対向壁部の対向方向を車両上下方向とするように配置されると共に車体側部にて車両前後方向に延在するサイドメンバとされ、
前記サイドメンバは、車両前後方向中央部に形成されたロッカ部と、前記ロッカ部の前端部又は後端部から車両前後方向に沿って前記ロッカ部から遠ざかるに従って車両上下方向上側に向かうように傾斜するキック部とを有し、
前記凹状部は、前記ロッカ部、前記キック部、前記ロッカ部と前記キック部と連結部のうちの少なくともいずれかの車両上下方向上側に形成されている、
請求項２に記載の車体構造。
【請求項４】
前記他方の対向補強壁部は、長手方向に亘って自由端が前記他方の第二対向壁部の自由端よりも前記連結補強壁部側且つ前記一方の第二対向壁部側に位置されている、
請求項１に記載の車体構造。
【請求項５】
前記骨格部材は、前記他方の対向補強壁部が前記一方の対向補強壁部に対する車両上下方向上側又は下側に位置するように配置されると共に車体側部にて車両前後方向に延在するサイドメンバとされている、
請求項２又は請求項４に記載の車体構造。
【発明の詳細な説明】
【技術分野】
【０００１】
本発明は、車体構造に関する。
【背景技術】
【０００２】
特許文献１には、車体側部構造が開示されている。この車体側部構造では、サイドメンバにロッカが形成されており、このロッカの車両前後方向前側部における車幅方向内側の上側隅部には、前側リインフォースメントが設けられ、この上側隅部における曲げ圧縮に対する剛性が高められている。また、ロッカの車両前後方向後側部における車幅方向内側の下側隅部には、後側リインフォースメントが設けられており、この下側隅部における曲げ圧縮に対する剛性が高められている。そして、このようにロッカの各部の曲げ圧縮に対する剛性が高められることにより、ロッカへ入力される衝突荷重を合理的に受けることが可能となっている。
【先行技術文献】
【特許文献】
【０００３】
【特許文献１】特開２００７−２０３８９３号公報
【特許文献２】特開２００６−６２５５８号公報
【発明の概要】
【発明が解決しようとする課題】
【０００４】
しかしながら、特許文献１に記載の例では、例えば車両前面衝突時などにサイドメンバを特定の方向に折り曲げて衝突エネルギを吸収するようにはなっていない。
【０００５】
本発明は、上記事情に鑑みてなされたものであって、車両衝突時に骨格部材を特定の方向に折り曲げて衝突エネルギを吸収することができる車体構造を提供することを目的とする。
【課題を解決するための手段】
【０００６】
前記課題を解決するために、請求項１に記載の車体構造は、一対の第一対向壁部と、前記一対の第一対向壁部の端部を連結する第一連結壁部とを有する断面コの字状に形成された第一骨格構成部材と、一対の第二対向壁部と、前記一対の第二対向壁部の端部を連結する第二連結壁部とを有する断面コの字状に形成されると共に、前記第一骨格構成部材と互いの開口部が向き合うように配置され、且つ、前記一対の第二対向壁部の自由端側が前記一対の第一対向壁部の内側で前記一対の第一対向壁部の自由端側とそれぞれ重ねられた状態で結合されて、前記第一骨格構成部材とで長手状の骨格部材を構成する第二骨格構成部材と、一対の対向補強壁部と、前記一対の対向補強壁部の端部を連結する連結補強壁部とを有すると共に、前記第一骨格構成部材と同じ側に開口する断面コの字状に形成され、且つ、前記骨格部材の長手方向に延びる長手状に形成されて前記第一骨格構成部材と結合された補強部材と、を備え、前記一対の対向補強壁部のうち一方は、前記一対の第二対向壁部のうち一方と互いの自由端が突き合わされ、前記一対の対向補強壁部のうち他方は、少なくとも長手方向の一部の自由端が前記一対の第二対向壁部のうち他方の自由端よりも前記連結補強壁部側且つ前記一方の対向補強壁部側に位置されている。
【０００７】
この車体構造では、骨格部材の内部に、断面コの字状の補強部材が設けられており、この補強部材に形成された一方の対向補強壁部は、第二骨格構成部材に形成された一方の第二対向壁部と互いの自由端が突き合わされている。一方、補強部材に形成された他方の対向補強壁部は、少なくとも長手方向の一部の自由端が第二骨格構成部材に形成された他方の第二対向壁部の自由端よりも連結補強壁部側且つ一方の第二対向壁部側に位置されている。
【０００８】
従って、例えば、車両の衝突により骨格部材に対して長手方向から衝突荷重が入力された場合には、一方の対向補強壁部の自由端と一方の第二対向壁部の自由端とが突き当たることで骨格部材における一方側（一方の第一対向壁部、一方の第二対向壁部、一方の対向補強壁部が設けられた側）の変形が抑制される。これに対し、他方の対向補強壁部における少なくとも長手方向の一部の自由端と他方の第二対向壁部の自由端とは突き当たらないので、この結果、骨格部材は、上述の一方側に凸をなすように折り曲げられる。
【０００９】
つまり、この車体構造では、一方の対向補強壁部の自由端と一方の第二対向壁部の自由端とが突き合わされることにより、骨格部材における一方側の耐力が確保されている。これに対し、他方の対向補強壁部の少なくとも長手方向の一部の自由端が他方の第二対向壁部の自由端よりも連結補強壁部側且つ一方の第二対向壁部側に位置されることにより、骨格部材における他方側（他方の第一対向壁部、他方の第二対向壁部、他方の対向補強壁部が設けられた側）の耐力は、上述の骨格部材における一方側の耐力よりも低くなっている。そして、この耐力差により、骨格部材は、上述の一方側に凸をなすように折り曲げられる。
【００１０】
このように、請求項１に記載の車体構造によれば、車両衝突時には、骨格部材を特定の方向に折り曲げて衝突エネルギを吸収することができる。
【００１１】
なお、一方の対向補強壁部の自由端と一方の第二対向壁部の自由端との突き合わせとは、はじめから両者が突き当たって配置されている場合だけでなく、車両衝突時になってはじめて両者が突き当たるように両者が若干離れて配置されている場合も含まれる趣旨である。
【００１２】
請求項２に記載の車体構造は、請求項１に記載の車体構造において、前記他方の対向補強壁部に、前記一方の対向補強壁部側に凹み、前記長手方向の一部を底部とする凹状部が形成され、前記他方の対向補強壁部の長手方向における前記凹状部の両側が、前記他方の第二対向壁部と互いの自由端が突き合わされた構成とされている。
【００１３】
この車体構造では、例えば、車両の衝突によって骨格部材に対して長手方向から衝突荷重が入力された場合には、他方の対向補強壁部の長手方向における凹状部の両側の自由端と他方の第二対向壁部との自由端とが突き当たることで骨格部材におけるこの部位の変形が抑制される。これに対し、他方の対向補強壁部における凹状部の底部の自由端と他方の第二対向壁部の自由端とは突き当たらないので、この結果、骨格部材は、この凹状部を起点として折り曲げられる。
【００１４】
このように、請求項２に記載の車体構造によれば、車両衝突時には、骨格部材の長手方向における特定の位置を起点として骨格部材を特定の方向に折り曲げて衝突エネルギを吸収することができる。
【００１５】
請求項３に記載の車体構造は、請求項２に記載の車体構造において、前記骨格部材が、前記一対の第一対向壁部の対向方向を車両上下方向とするように配置されると共に車体側部にて車両前後方向に延在するサイドメンバとされ、前記サイドメンバが、車両前後方向中央部に形成されたロッカ部と、前記ロッカ部の前端部又は後端部から車両前後方向に沿って前記ロッカ部から遠ざかるに従って車両上下方向上側に向かうように傾斜するキック部とを有し、前記凹状部が、前記ロッカ部、前記キック部、前記ロッカ部と前記キック部と連結部のうちの少なくともいずれかの車両上下方向上側に形成された構成とされている。
【００１６】
この車体構造によれば、凹状部は、ロッカ部、キック部、ロッカ部とキック部との連結部のうちの少なくともいずれかの車両上下方向上側に形成されているので、例えば、車両の衝突によってサイドメンバに対して車両前後方向から衝突荷重が入力された場合には、このロッカ部からキック部に至る領域のいずれかの箇所を起点としてサイドメンバを車両上下方向上側に折り曲げて衝突エネルギを吸収することができる。
【００１７】
なお、キック部は、ロッカ部に対する車両前後方向前側に形成されていても良く、また、ロッカ部に対する車両前後方向後側に形成されていても良い。また、キック部がロッカ部に対する車両前後方向前側に形成されている場合、上述の車両衝突とは、例えば車両前面衝突又は車両前面オフセット衝突に相当し、キック部がロッカ部に対する車両前後方向後側に形成されている場合、上述の車両衝突とは、例えば車両後面衝突又は車両後面オフセット衝突に相当する。
【００１８】
請求項４に記載の車体構造は、請求項１に記載の車体構造において、前記他方の対向補強壁部が、長手方向に亘って自由端が前記他方の第二対向壁部の自由端よりも前記連結補強壁部側且つ前記一方の第二対向壁部側に位置された構成とされている。
【００１９】
この車体構造によれば、例えば、車両の衝突によって骨格部材に対して長手方向から衝突荷重が入力された場合には、他方の対向補強壁部の自由端が長手方向に亘って他方の第二対向壁部の自由端と突き当たらないので、骨格部材におけるいずれかの箇所を起点として骨格部材を特定の方向に折り曲げて衝突エネルギを吸収することができる。
【００２０】
請求項５に記載の車体構造は、請求項２又は請求項４に記載の車体構造において、前記骨格部材が、前記他方の対向補強壁部が前記一方の対向補強壁部に対する車両上下方向上側又は下側に位置するように配置されると共に車体側部にて車両前後方向に延在するサイドメンバとされた構成とされている。
【００２１】
この車体構造によれば、他方の対向補強壁部が一方の対向補強壁部に対する車両上下方向上側に配置されている場合には、車両の衝突によってサイドメンバに対して車両前後方向から衝突荷重が入力されたときには、サイドメンバを車両上下方向上側に折り曲げることができる。一方、他方の対向補強壁部が一方の対向補強壁部に対する車両上下方向下側に配置されている場合には、車両の衝突によってサイドメンバに対して車両前後方向から衝突荷重が入力されたときには、サイドメンバを車両上下方向上側に折り曲げることができる。
【発明の効果】
【００２２】
以上詳述したように、本発明によれば、車両衝突時に骨格部材を特定の方向に折り曲げて衝突エネルギを吸収することができる。
【図面の簡単な説明】
【００２３】
【図１】本発明の一実施形態に係る車体構造が適用された車体の左側半分を示す平面図である。
【図２】図１に示される車体の左側面図である。
【図３】図１に示されるサイドメンバを構成するインナチャンネル及びリインフォースメントの斜視図である。
【図４】図３の要部拡大斜視図である。
【図５】図１に示されるサイドメンバを図４の５−５線で切断した断面図（背面断面図）である。
【図６】図１に示されるサイドメンバを図４の６−６線で切断した断面図（背面断面図）である。
【図７】図１に示されるインナチャンネル及びリインフォースメントの接合箇所における要部拡大斜視図である。
【図８】図１に示されるサイドメンバを図７の８−８線で切断した断面図（背面断面図）である。
【図９】車両衝突時に図１に示されるサイドメンバに対して作用する荷重とこのときにサイドメンバが変形する方向を説明する図である。
【図１０】図１に示されるサイドメンバの車両衝突時の変形状態を示す断面図（背面断面図）である。
【図１１】本発明の一実施形態に係る車体構造の変形例を示す図である。
【図１２】本発明の一実施形態に係る車体構造の変形例を示す図である。
【発明を実施するための形態】
【００２４】
以下、図面を参照しながら、本発明の一実施形態について説明する。
【００２５】
なお、各図において示される矢印ＵＰ、矢印ＦＲ、矢印ＯＵＴは、車両上下方向上側、車両前後方向前側、車両幅方向外側（左側）をそれぞれ示している。
【００２６】
図１，図２に示される車体６０は、例えば、乗用自動車等の車両のものであり、骨格部材としてのサイドメンバ２０の他に、複数のクロスメンバ６１〜６７と、サスペンションメンバ６８とを備えている。
【００２７】
なお、この車体６０は、左右対称に構成されており、ここでは、左側半分の構成について説明し、右側半分の構成については図示及びその説明を省略する。
【００２８】
サイドメンバ２０は、車体左側の側部に配置されると共に、車両前後方向に延在する長手状に形成されている。このサイドメンバ２０における車両前後方向中央部は、ロッカ部２２とされており、このロッカ部２２に対する車両前後方向前側には、キック部２４が形成され、ロッカ部２２に対する車両前後方向後側には、キック部２６が形成されている。
【００２９】
キック部２４は、図２に示されるように、ロッカ部２２の前端部から車両前後方向前側に向かうに従って（ロッカ部２２から遠ざかるに従って）車両上下方向上側に向かうように傾斜しており、キック部２６は、ロッカ部２２の後端部から車両前後方向後側に向かうに従って（ロッカ部２２から遠ざかるに従って）車両上下方向上側に向かうように傾斜している。
【００３０】
そして、このサイドメンバ２０におけるロッカ部２２からキック部２４に至る領域と、このサイドメンバ２０におけるロッカ部２２からキック部２６に至る領域には、本発明の一実施形態に係る車体構造１０がそれぞれ適用されている。
【００３１】
なお、車両前後方向後側の車体構造１０は、車両前後方向前側の車体構造１０と略前後対称に構成されている。従って、以下では、車両前後方向前側の車体構造１０について説明し、車両前後方向後側の車体構造１０についてはその説明を省略する。
【００３２】
図３〜図８に示されるように、サイドメンバ２０は、第一骨格構成部材としてのインナチャンネル３０と、第二骨格構成部材としてのサイドレール４０とによって構成されている。なお、図３，図４では、サイドメンバ２０からサイドレール４０が省かれて、インナチャンネル３０及び後述するリインフォースメント５０のみが示されている。
【００３３】
インナチャンネル３０は、図５，図６に示されるように、車両上下方向に対向する一対の第一対向壁部３１，３２と、この一対の第一対向壁部３１，３２の車両幅方向内側の端部を連結する第一連結壁部３３とを有する断面コの字状に形成されている。
【００３４】
一方、サイドレール４０は、車両上下方向に対向する一対の第二対向壁部４１，４２と、この一対の第二対向壁部４１，４２の車両幅方向外側の端部を連結する第二連結壁部４３とを有する断面コの字状に形成されている。
【００３５】
また、このサイドレール４０は、インナチャンネル３０と互いのコの字形における開口部が向き合うように配置されている。つまり、インナチャンネル３０は、車両幅方向外側に開口するように配置され、サイドレール４０は、車両幅方向内側に開口するように配置されている。
【００３６】
そして、一対の第二対向壁部４１，４２の自由端側は、一対の第一対向壁部３１，３２の内側に配置されると共に、この一対の第一対向壁部３１，３２の自由端側とそれぞれ重ねられた状態とされて、この一対の第一対向壁部３１，３２の自由端側と車両前後方向に亘って溶接部４６により結合されている。
【００３７】
また、このインナチャンネル３０及びサイドレール４０によって構成されたサイドメンバ２０の内部には、補強部材としてのリインフォースメント５０が設けられている。
【００３８】
リインフォースメント５０は、車両上下方向に対向する一対の対向補強壁部５１，５２と、この一対の対向補強壁部５１，５２の車両幅方向内側の端部を連結する連結補強壁部５３とを有すると共に、インナチャンネル３０と同じ側（車両幅方向外側）に開口する断面コの字状に形成されている。また、このリインフォースメント５０は、サイドメンバ２０の長手方向（車両前後方向）に延びる長手状に形成されている。
【００３９】
一対の対向補強壁部５１，５２には、図７，図８にその一部が示されるように、長手方向における複数の位置の自由端側に切欠部５４が形成されている。そして、一対の対向補強壁部５１，５２の自由端側は、一対の第一対向壁部３１，３２の自由端側とそれぞれ重ねられた状態とされて、この一対の第一対向壁部３１，３２の自由端側と各切欠部５４において溶接部５６によって結合されている。
【００４０】
また、図５，図６に示されるように、車両上下方向下側に配置された一方の対向補強壁部５１の自由端５１Ａは、一方の第二対向壁部４１の自由端４１Ａと突き当てられている。
【００４１】
一方、図４，図６に示されるように、車両上下方向上側に配置された他方の対向補強壁部５２における長手方向の一部には、一方の対向補強壁部５１側（車両上下方向下側）に凹む凹状部５８が形成されている。この凹状部５８は、より具体的には、図３に示されるように、他方の対向補強壁部５２における長手方向の三箇所、すなわち、ロッカ部２２、キック部２４、ロッカ部２２とキック部２４との連結部２８にそれぞれ形成されている。
【００４２】
凹状部５８の底部５９は、図６に示されるように、他方の第二対向壁部４２に向かうに従って一方の対向補強壁部５１側（車両上下方向下側）に向かうように傾斜されており、その自由端５９Ａは、他方の第二対向壁部４２の自由端４２Ａよりも連結補強壁部５３側且つ一方の対向補強壁部５１側（車両幅方向内側且つ車両上下方向下側）に位置されている。また、図５に示されるように、この他方の対向補強壁部５２の長手方向における凹状部５８の両側の自由端５２Ａは、他方の第二対向壁部４２の自由端４２Ａと突き当てられている。
【００４３】
次に、本発明の一実施形態の作用及び効果について説明する。
【００４４】
本発明の一実施形態に係る車体構造１０では、図５，図６に示されるように、サイドメンバ２０の内部に、断面コの字状のリインフォースメント５０が設けられており、このリインフォースメント５０に形成された一方の対向補強壁部５１の自由端５１Ａは、サイドレール４０に形成された一方の第二対向壁部４１の自由端４１Ａと突き当てられている。
【００４５】
一方、リインフォースメント５０に形成された他方の対向補強壁部５２の長手方向の一部には、一方の対向補強壁部５１側（車両上下方向下側）に凹む凹状部５８が形成されている。そして、凹状部５８の底部５９の自由端５９Ａは、他方の第二対向壁部４２の自由端４２Ａよりも連結補強壁部５３側且つ一方の対向補強壁部５１側（車両幅方向内側且つ車両上下方向下側）に位置されている。
【００４６】
従って、図９に示されるように、例えば、車両前面衝突又は車両前面オフセット衝突によりサイドメンバ２０に対して車両前後方向前側から衝突荷重Ｆが入力された場合には、図１０に示されるように、一方の対向補強壁部５１の自由端５１Ａと一方の第二対向壁部４１の自由端４１Ａとが突き当たることでサイドメンバ２０における車両上下方向下側の変形が抑制される。
【００４７】
また、このとき、図５に示されるように、他方の対向補強壁部５２の長手方向における凹状部５８の両側の自由端５２Ａと他方の第二対向壁部４２との自由端４２Ａとが突き当たることでサイドメンバ２０におけるこの部位の変形も抑制される。
【００４８】
これに対し、図１０に示されるように、凹状部５８の底部５９の自由端５９Ａと他方の第二対向壁部４２の自由端４２Ａとは突き当たらないので、この結果、サイドメンバ２０は、図９の矢印Ａで示されるように、ロッカ部２２からキック部２４に至る領域における凹状部５８が形成された部位（図９のＢ，Ｃ，Ｄ点；図３も参照）を起点として車両上下方向上側に折り曲げられる。
【００４９】
つまり、この車体構造１０では、一方の対向補強壁部５１の自由端５１Ａと一方の第二対向壁部４１の自由端４１Ａとが突き当てられることにより、サイドメンバ２０における車両上下方向下側の耐力が確保されている。これに対し、他方の対向補強壁部５２には、複数の凹状部５８が形成されることにより、サイドメンバ２０における車両上下方向上側の耐力は、サイドメンバ２０における車両上下方向下側の耐力よりも低くなっている。そして、この耐力差により、サイドメンバ２０は、車両上下方向下側に凸をなすように車両上下方向上側に折り曲げられる。
【００５０】
このように、本発明の一実施形態に係る車体構造１０によれば、例えば車両前面衝突又は車両前面オフセット衝突時には、サイドメンバ２０を特定の方向（車両上下方向上側）に折り曲げて衝突エネルギを吸収することができる。
【００５１】
また、リインフォースメント５０に凹状部５８を設けただけであるので、質量やコストの増加を抑えつつ、衝突エネルギを吸収することができる。
【００５２】
しかも、凹状部５８は、ビードとしての役割も果たすので、この凹状部５８によりリインフォースメント５０の剛性も確保することができる。
【００５３】
なお、インナチャンネル３０とサイドレール４０とを結合する前に、インナチャンネル３０の内側にリインフォースメント５０を結合しておけば、一方の第二対向壁部４１の自由端４１Ａと一方の対向補強壁部５１の自由端５１Ａとの突き当てと、他方の第二対向壁部４２の自由端４２Ａと他方の対向補強壁部５２の自由端５２Ａとの突き当てを利用して、インナチャンネル３０とサイドレール４０との車両幅方向における互いの位置決め（つまり、サイドメンバ２０の組み幅）も保証することができる。
【００５４】
次に、本発明の一実施形態の変形例について説明する。
【００５５】
上記実施形態において、車体構造１０は、凹状部５８がサイドメンバ２０における車両上下方向上側に形成された構成とされていたが、これと断面が上下反対の構成とされていても良い。この場合には、例えば車両前面衝突又は車両前面オフセット衝突時に、サイドメンバ２０を車両上下方向下側に折り曲げることができる。
【００５６】
また、上記実施形態において、凹状部５８は、ロッカ部２２、キック部２４、ロッカ部２２とキック部２４との連結部２８の三箇所に形成されていたが、このうちの二箇所又は一箇所に形成されていても良い。
【００５７】
また、上記実施形態では、他方の対向補強壁部５２の長手方向の一部に凹状部５８が形成されていたが、図１１に示されるように、他方の対向補強壁部５２は、長手方向に亘って自由端５２Ａが他方の第二対向壁部４２の自由端４２Ａよりも連結補強壁部５３側且つ一方の対向補強壁部５１側（車両幅方向内側且つ車両上下方向下側）に位置されるように、車両幅方向に対して車両上下方向下側に傾斜されていても良い。
【００５８】
このように構成されていても、例えば、車両前面衝突又は車両前面オフセット衝突によりサイドメンバ２０に対して車両前後方向前側から衝突荷重が入力された場合には、他方の対向補強壁部５２の自由端５２Ａが長手方向に亘って他方の第二対向壁部４２の自由端４２Ａと突き当たらないので、サイドメンバ２０におけるいずれかの箇所を起点としてサイドメンバ２０を特定の方向（車両上下方向上側）に折り曲げて衝突エネルギを吸収することができる。
【００５９】
なお、図１１に示される変形例では、他方の対向補強壁部５２がサイドメンバ２０における車両上下方向上側に形成された構成とされていたが、これと断面が上下反対の構成とされていても良い。この場合には、例えば車両前面衝突又は車両前面オフセット衝突時に、サイドメンバ２０を車両上下方向下側に折り曲げることができる。
【００６０】
また、上記実施形態において、本発明の一実施形態に係る車体構造１０は、サイドメンバ２０に適用されていたが、例えば、図１２に示されるように、上述のクロスメンバ６１〜６７のいずれかに相当する骨格部材としてのクロスメンバ７０に適用されても良い。
【００６１】
この図１２に示される変形例において、クロスメンバ７０は、第一骨格構成部材８０と、第二骨格構成部材９０とによって構成されており、また、このクロスメンバ７０の内部には、補強部材としてのリインフォースメント１００が設けられている。また、このクロスメンバ７０は、第一骨格構成部材８０と第二骨格構成部材９０とが車両上下方向に対向するように配置されている。なお、この第一骨格構成部材８０、第二骨格構成部材９０、リインフォースメント１００の構成は、上述のインナチャンネル３０、サイドレール４０、リインフォースメント５０と同様の構成となっており、各部材の構成については、同一符合を用いてその説明を省略する。
【００６２】
また、本発明の一実施形態に係る車体構造１０は、サイドメンバやクロスメンバ以外の骨格部材に適用されても良い。
【００６３】
また、上記実施形態において、車体構造１０は、車両幅方向内側にインナチャンネル３０及びリインフォースメント５０が配置され、車両幅方向外側にサイドレール４０が配置された構成とされていたが、これと断面が左右反対の構成とされていても良い。
【００６４】
また、上記実施形態において、一方の対向補強壁部５１の自由端５１Ａと一方の第二対向壁部４１の自由端４１Ａとは、はじめから突き当たって配置されていたが、車両衝突時になってはじめて突き当たるように若干離れて配置されていても良い。
【００６５】
以上、本発明の一実施形態及びその変形例について説明したが、本発明は、上記に限定されるものでなく、上記以外にも、その主旨を逸脱しない範囲内において種々変形して実施可能であることは勿論である。
【符号の説明】
【００６６】
１０  車体構造
２０  サイドメンバ（骨格部材）
２２  ロッカ部
２４，２６  キック部
２８  連結部
３０  インナチャンネル（第一骨格構成部材）
３１，３２  第一対向壁部
３３  第一連結壁部
４０  サイドレール（第二骨格構成部材）
４１，４２  第二対向壁部
４３  第二連結壁部
５０  リインフォースメント（補強部材）
５１，５２  対向補強壁部
５３  連結補強壁部
５８  凹状部
５９  底部
７０  クロスメンバ（骨格部材）
８０  第一骨格構成部材
９０  第二骨格構成部材
１００  リインフォースメント（補強部材）
【図１】
2011046234.tif 000003
【図２】
2011046234.tif 000004
【図３】
2011046234.tif 000005
【図４】
2011046234.tif 000006
【図５】
2011046234.tif 000007
【図６】
2011046234.tif 000008
【図７】
2011046234.tif 000009
【図８】
2011046234.tif 000010
【図９】
2011046234.tif 000011
【図１０】
2011046234.tif 000012
【図１１】
2011046234.tif 000013
【図１２】
2011046234.tif 000014